(57)【要約】
【課題】従来のコップや皿等の飲食器が互いに識別困難であるため、飲食中に他人が使用したコップ、皿および他の飲食器を誤って使用するという問題点、さらに日常生活において、個人に属する飲食器の決定の困難さの解消。
【解決手段】同様な外観を有する２個以上の飲食器からなる飲食器セットであって、飲食器セットを構成する個々の飲食器に特有の識別標識が、個々の飲食器に２カ所以上付されていることを特徴とする、飲食器セット。
【選択図】なし
【実用新案登録請求の範囲】
【請求項１】
　同様な外観を有する２個以上の飲食器からなる飲食器セットであって、飲食器セットを構成する個々の飲食器に特有の識別標識が、個々の飲食器に２カ所以上付されていることを特徴とする、飲食器セット。
【請求項２】
　飲食器がコップ又は皿である請求項１に記載の飲食器セット。
【請求項３】
　識別標識が文字、数字、図形、記号及び模様からなる群から選択される少なくとも１種である請求項１又は２に記載の飲食器セット。
【請求項４】
　識別標識が３カ所以上付与されている請求項１〜３のいずれかに記載の飲食器セット。
【請求項５】
　識別標識が３又は４カ所付与されている請求項４に記載の飲食器セット。
【請求項６】
　飲食器が紙製又はプラスチック製の使い捨てコップである請求項２〜４のいずれかに記載の飲食器セット。
【請求項７】
　飲食器が紙製又はプラスチック製の使い捨てコップである請求項５に記載の飲食器セット。
【請求項８】
　飲食器がガラス製、陶磁器製又は金属製である請求項１〜５のいずれかに記載の飲食器セット。
【請求項９】
　飲食器がガラス製、陶磁器製又は金属製のコップ又は皿である請求項８に記載の飲食器セット。
【請求項１０】
　飲食器がガラス製のコップである請求項５に記載の飲食器セット。
【考案の詳細な説明】
【技術分野】
【０００１】
　本考案は、同様な外観を有するため区別し難い２個以上の飲食器の２カ所以上に識別標識を付することによって、自分の飲食器を他人の飲食器から識別可能な飲食器に関するものである。
【背景技術】
【０００２】
　異種の飲食器（例えば、コップと皿）の識別は、主として形状の違いにより可能である。しかし、同種の飲食器（例えばコップ）を使用する場合は、工業製品が主として使用されることも手伝って、同じ形状、同じ大きさ、同じ模様、同じ色彩等を有することが多い。
【考案の開示】
【考案が解決しようとする課題】
【０００３】
　このため、同種の飲食器を使用する場合、飲食器の使用者にとって自分の飲食器と他人の飲食器の識別が困難となり、他人の飲食器を使用するという状況が生じ、次のような問題が発生する。例えば、席が特定されていない立食パーティーなどにおいて、同一のテーブル上に多数の同様の色、形状、大きさ及び模様を有するコップを使用する場合、コップの使用者がコップに注がれた飲料の一部を飲み、飲料の残ったコップをテーブルに置いたまま会話に夢中になると、残りの飲料を飲もうとしてももはや自分のコップが他人のコップと区別できない場合がある。このような場合、他人が使用したコップを自分のコップと間違えて他人が飲み残した飲料を飲用することがある。また、他人が使用したコップに飲料が入っていないとしても、さらに飲料を注ぎ、他人が使用したコップを使用することもある。
【０００４】
　また、同様のパーティーなどにおいて、同一のテーブル上に多数の同様の色、形状、大きさおよび模様を有する皿がおかれた場合、これらの識別が困難であり、他人が使用中の皿を誤って使用する事がある。すなわち、他人が部分的に食した食物の残りを食することがある。さらに、これらの場合、他人が直接口をつけた箸、フォークやナイフを使用する可能性もある。
【０００５】
　さらに、上記ではパーティーなど日常ではない場を想定しているが、日常の場において本人が愛用するコップや皿を決める場合がある。しかし、この愛用するコップや皿を決定するには、これらコップや皿の色、形状、大きさおよび模様にたよらざるを得なく、他人のコップや皿との識別が困難である。
【０００６】
　上記に記載されている飲食器は、これらの販売時には飲食物は入っていない場合を想定している。しかし、販売時に飲食物が入っている容器、例えば同一のメーカーの同じ種類の缶ビールが多数、パーティーの席に並べられた場合、どの缶ビールが本人の飲用した缶ビールかの判明が困難になることがある。この困難さにより、他人の飲み残しているビールを飲用する事がある。
【課題を解決するための手段】
【０００７】
　本考案は、従来のコップや皿等の飲食器が互いに識別困難であるため、飲食中に他人が使用したコップ、皿および他の飲食器を誤って使用するという問題点、さらに日常生活において、個人に属する飲食器の決定の困難さに着目してなされたものである。すなわち、飲食中に他人が使用した飲食器を使用するという過ちを除くため、さらに日常においても個人が使用する飲食器を容易に識別するためになされたものである。
【０００８】
　即ち、本考案は下記の飲食器セットに係る。
項１．同様な外観を有する２個以上の飲食器からなる飲食器セットであって、飲食器セットを構成する個々の飲食器に特有の識別標識が、個々の飲食器に２カ所以上付されていることを特徴とする、飲食器セット。
項２．飲食器がコップ又は皿である項１に記載の飲食器セット。
項３．識別標識が文字、数字、図形、記号及び模様からなる群から選択される少なくとも１種である項１又は２に記載の飲食器セット。
項４．識別標識が３カ所以上付与されている項１〜３のいずれかに記載の飲食器セット。
項５．識別標識が３又は４カ所付与されている項４に記載の飲食器セット。
項６．飲食器が紙製又はプラスチック製の使い捨てコップである項２〜４のいずれかに記載の飲食器セット。
項７．飲食器が紙製又はプラスチック製の使い捨てコップである項５に記載の飲食器セット。
項８．飲食器がガラス製、陶磁器製又は金属製である項１〜５のいずれかに記載の飲食器セット。
項９．飲食器がガラス製、陶磁器製又は金属製のコップ又は皿である項８に記載の飲食器セット。
項１０．飲食器がガラス製のコップである項５に記載の飲食器セット。
【考案の効果】
【０００９】
　本考案により、個々のコップや皿等の飲食器が識別可能となり、他人が使用している飲食器を間違えて使用することなく、本人が使用することに決められた飲食器を用いることが出来る。たとえば、パーティーなどの多数の人が集まる場においては、同様の色、形状、大きさおよび模様を有する飲食器が多数使用され、これらの飲食器を識別するのが困難となることがある。その為、他人が直接口をつけたコップや皿に触れることが生じる可能性があるが、この可能性を回避できる。これにより、他人が部分的に飲食した飲料や食物を口にする事も回避できる。同様に、他人が使用している箸、ナイフやフォークを誤って使用する事も少なくできる。
【００１０】
　このため、例えばウイルスや細菌あるいは真菌等に感染している人がこのようなパーティーに参加している場合、これらの感染が他人へ伝播する可能性が少なくなる。風邪をひいている人が直接口をつけ飲用したコップや缶ビール等に、それ以外の人が口をつけることが防がれ、風邪の感染を防ぐことが出来る。このように、本考案は衛生面からみても重要である。
【００１１】
　また、感染症を有しない健康な人間でも、他人が使用したこれらコップや皿、さらに他人の飲食物を飲食する可能性があるパーティーに参加することは、人によっては不安感を引き起こし、精神的にも良くない場合もあるが、自分の飲食器を確認できるため安心して楽しく食事をすることが可能となり精神面でも有用である。
【００１２】
　また、パーティーなどの一時的な催しの会場における場以外の恒常的な場においても本考案は有効である。例えば、自宅や仕事場において、本人のコップを決める場合がある。これを決めることにより、他人がそのコップを使用することなく、そのコップは本人によってのみ使用される。例えば、そのコップを使用したあとの洗浄方法が本人によって決定され、本人が納得した方法で使用されたコップを再使用できる。このような目的では、コップの色、形状、大きさおよび模様による識別でも可能であるが、本考案によりさらに容易になる。また、宿舎や寮などにおける、集団で生活する場合にはコップや皿の色、形状、大きさおよび模様による識別は困難である。そこで、本考案による識別を行えば、個人の使用しているコップや皿の同定が可能であり、各個人によるコップや皿の管理が可能となる。
【００１３】
　さらに、飲食物が含まれた容器を冷蔵庫等に保管して、その後にこの容器に入っている飲食物を飲食する事がある。この場合、この容器に、本考案による識別番号が明記されていれば容易に識別でき、他人がこの容器に入っている飲食物を飲食する可能性が少なくなる。
【考案を実施するための最良の形態】
【００１４】
　本考案は、同様な外観を有する２個以上の飲食器からなる飲食器セットであって、飲食器セットを構成する個々の飲食器に特有の識別標識が、個々の飲食器に２カ所以上付されていることを特徴とする。例えば、同様な外観を有する１０個のコップセットがあり、１０個のコップ全てに１〜１０の異なる数字をつけることによって、個々のコップが数字によって識別可能となる。なお、１個のコップに付けられる数字は２カ所とも同じ数字である（図１３〜１５参照）。
【００１５】
　同様な外観を有する飲食器とは、同様な形状、大きさ、模様及び色彩を有するため人間が一見して識別できない飲食器をいう。なお、無地のガラス製品の場合のように模様や色彩を有していない飲食器も、形状及び大きさが同様であるため識別できない場合には、同様な外観を有する飲食器に該当する。
【００１６】
　飲食器としては、コップ（紙製やプラスチック製の使い捨てコップを含む）、コーヒーカップ、ティーカップ、ワイングラス、ビアーグラス、皿（紙製やプラスチック製の使い捨て皿を含む）、カップソーサー、スプーン、フォーク、ナイフ、１組の箸などが包含される。なお、箸の場合、一本に２カ所識別標識が付いているのではなく、１個の識別標識が付いた１本の箸と該識別標識と同じ識別標識の付いた１本の箸とからなる１組をもって飲食器とする。
【００１７】
　これら飲食器の材質は、通常使用されている飲食器の材質と同じであり、例えば、紙製、プラスチック製、生分解性ポリマー製、木製、ガラス製、金属製（ステンレス製、金製、銀製など）、陶磁器製などが例示される。紙製飲食器の原材料としては、例えば、純木材パルプや非木材植物繊維、あるいはそれらの組み合わせを用いることができる。また、これら紙製コップや皿に種々の樹脂をコーティングすることも可能である。プラスチック製飲食器の原材料としては、ポリエチレン(PE)、ポリプロピレン(PP)、ポリメチルペンテン(PMP)、ポリブテン−1(PB-1)、ブタジエン樹脂(BDR)、エチレン・テトラシクロドデセン・コポリマー(E/TD)、ポリスチレン(PS)、AS樹脂（アクリロニトリル・スチレン樹脂）、ABS樹脂（アクリロニトリル・ブタジェン・スチレン樹脂）、ポリフェニレンエーテル（PPE）、ポリアクリロニトリル（PAN）、フッ素樹脂（FR）、ポリメタクリルスチレン（MS）、メタクリル樹脂（PMMA）、ナイロン（PA）、ポリエチレンテレフタレート（PET）、ポリカーボネート（PC）、ポリビニルアルコール（PVA）、ポリアセタール（POM）、ポリブチレンテレフタレート（PBT）、ポリアリルサルホン（PASF）、ポリアリレート（PAR）、ヒドロキシ安息香酸ポリエステル（HBP）、ポリエーテルイミド（PEI）、ポリシクロへキシレンジメチレンテレフタレート（PCT）、ポリエチレンナフタレート（PEN）、ポリエステルカーボネート（PPC）、ポリ塩化ビニル（PVC）、ポリ塩化ビニリデン（PVDC）、ポリ酢酸ビニル（酢酸ビニル樹脂）、フェノール樹脂（フェノール・ホルムアルデヒド樹脂）、ユリア樹脂（尿素樹脂、尿素ホルマリン樹脂メラミン樹脂（メラミン・ホルマリン樹脂）、メラミン樹脂（メラミン・ホルマリン樹脂）、不飽和ポリエステル（不飽和ポリエステル樹脂）等を使用できる。
【００１８】
　なお、飲食器は、飲食物を包含した状態のものであっても良く、例えば、ビール、ウイスキー、酒等のアルコール飲料、各種ジュース、各種お茶、微量成分として種々イオンが含まれた水、各種清涼飲料水等を容器内に含むスチール缶、アルミ缶、極薄ブリキ鋼板缶、飲料用ガラス瓶等がある。
【００１９】
　これら飲食器には、識別標識が付されている。飲食器セットに包含される個々の飲食器を識別するため、識別標識は個々の飲食器に特有のものとし、同セットに包含される他の飲食器に付される識別標識と同じものであってはならない。これにより、特定の飲食器を当該飲食器を包含する飲食器セットに包含される他の飲食器と混同することを防止することができる。
【００２０】
　１個の飲食器に２カ所以上の識別標識が付されている。識別標識を２カ所以上付すことによって、同じ識別標識を１カ所付した場合と比較すると、識別効果が顕著に向上する。識別標識としては、文字、数字、図形、記号、模様等が使用可能であり、これらを組み合わせて使用することもできるが、バーコード等の飲食器使用者が他のバーコードと区別できないようなものは含まない。これらの識別標識のうち、数字（ローマ数字、アラビア数字、算用数字など）、文字（ひらがな、カタカナ、漢字、アルファベット、ハングル文字、アラビア文字など）が好ましく、特に算用数字、ローマ数字、アルファベット、ひらがな、カタカナが識別及び記憶が容易であることから特に好ましい。　
【００２１】
　識別標識を付す方法としては、印刷、吹き付け、焼き付け、彫り込みなどの手段が利用できる。印刷手段として、通常の印刷以外にインクジェットやレーザーを用いた接触ならびに非接触マーキング法を用いてプリントしてもよい。また、識別標識の付されたラベルを張り付けても良い。さらに、識別標識を有している判子やスタンプによる捺印でも良い。識別標識を付す作業は、飲食器製品作製工程中に行われるが、完成製品について行われてもよい。
【００２２】
　識別標識を付す場所は、飲食器使用時に飲食器使用者が認識容易な部分であることが好ましい。例えば、コップ等の飲料容器の場合は容器外側が好ましく、皿の場合は容器内側であって皿に料理を入れた際に料理で識別標識が隠れにくい場所（図１６及び１７参照）が好ましく、箸、スプーン、ナイフ及びフォークの場合はこれらを使用する際に手で持つ柄が好ましい。また、飲料容器、皿などが柄（取っ手）を有する場合にはその柄に識別標識を付すこともできる。なお、識別標識を２カ所以上付すことから、２カ所目の識別標識は、飲食器を使用する際に使用者が１カ所目の識別標識を認識し難い角度から認識しやすい場所に付すことが好ましい。同様に３カ所目以降の識別標識は、飲食器に付されている他の識別標識を使用者が認識し難い角度から認識しやすい場所に付すことが好ましい。
【００２３】
　また、識別標識の大きさは、飲食器から約７０ｃｍ程の距離をへだてても容易に識別できる程度の大きさが良い。例えば、３ｍｍ〜５ｃｍ程度、好ましくは５ｍｍ〜３ｃｍ程度の大きさである。
【実施例】
【００２４】
　２０人が参加した、約２時間の立食パーティーをおこなった。このパーティーにおいて、識別標識が１カ所に記入されたコップセット（図１〜３）を使用した。なお、コップの底面の直径は約４．５ｃｍ、上部開口面の直径は約６．５ｃｍ、高さは７ｃｍであり、材質は白い紙であった。識別標識は黒色の文字列Ａ１〜Ａ２０であり、文字列の高さが約１ｃｍ、横が約１．３〜約２ｃｍである。
【００２５】
　また、同様にして、識別標識が２カ所に記入されたコップセット（図４〜６）、識別標識が３カ所に記入されたコップセット（図７〜９）、及び識別標識が４カ所に記入されたコップセット（図１０〜１２）をそれぞれ使用した立食パーティーも行った。
【００２６】
　なお、参加各人が使用したコップを使用するときに、そのコップが自分のコップであると認識できないときには、そのコップを放棄し、その者の識別標識を付した新しいコップを使用した。この認識できないというのは、一見して自分のコップが会場のどこにあるのかわからないことを意味する。即ち、自分のコップがどこにあるかわからない状況で新たに飲み物を摂取しようとした場合に新たなコップを使用した。
【００２７】
　以上のパーティーにおいて、使用されたコップの総数を数えた。識別標識が１カ所のコップセットを使用した場合、識別標識が２カ所のコップセットを使用した場合、識別標識が３カ所のコップセットを使用した場合、及び識別標識が４カ所のコップセットを使用した場合の各々のコップ使用数は、１４０、８０、４０、及び２２であった。
【００２８】
　このように、識別標識を２カ所以上付したコップセットを使用することにより、識別標識を１カ所付したコップセットと比較して、コップの使用数は顕著に減少した。
【図面の簡単な説明】
【００２９】
【図１】図１は、識別標識Ａ１、Ａ２、Ａ３・・・Ａ２０が１カ所に付されたコップセットの正面図である。コップの底面の直径は約４．５ｃｍ、上部開口面の直径は約６．５ｃｍ、高さは７ｃｍである。識別標識文字列の高さは約１ｃｍ、横が約１．３〜約２ｃｍである。
【図２】図２は、識別標識Ａ１、Ａ２、Ａ３・・・Ａ２０が１カ所に付されたコップセットの背面図である。
【図３】図３は、図１及び図２において示したコップセットを構成する、識別標識Ａ１が１カ所に付されたコップの斜視図である。
【図４】図４は、識別標識Ａ１、Ａ２、Ａ３・・・Ａ２０が２カ所に付されたコップセットの正面図である。コップの底面の直径は約４．５ｃｍ、上部開口面の直径は約６．５ｃｍ、高さは７ｃｍである。識別標識文字列の高さは約１ｃｍ、横が約１．３〜約２ｃｍである。
【図５】図５は、識別標識Ａ１、Ａ２、Ａ３・・・Ａ２０が２カ所に付されたコップセットの背面図である。
【図６】図６は、図４及び図５において示したコップセットを構成する、識別標識Ａ１が２カ所に付されたコップの斜視図である。
【図７】図７は、識別標識Ａ１、Ａ２、Ａ３・・・Ａ２０が３カ所に付されたコップセットの正面図である。コップの底面の直径は約４．５ｃｍ、上部開口面の直径は約６．５ｃｍ、高さは７ｃｍである。識別標識文字列の高さは約１ｃｍ、横が約１．３〜約２ｃｍである。
【図８】図８は、識別標識Ａ１、Ａ２、Ａ３・・・Ａ２０が３カ所に付されたコップセットの背面図である。
【図９】図９は、図７及び図８において示したコップセットを構成する、識別標識Ａ１が３カ所に付されたコップの斜視図である。
【図１０】図１０は、識別標識Ａ１、Ａ２、Ａ３・・・Ａ２０が４カ所に付されたコップセットの正面図である。コップの底面の直径は約４．５ｃｍ、上部開口面の直径は約６．５ｃｍ、高さは７ｃｍである。識別標識文字列の高さは約１ｃｍ、横が約１．３〜約２ｃｍである。
【図１１】図１１は、識別標識Ａ１、Ａ２、Ａ３・・・Ａ２０が４カ所に付されたコップセットの背面図である。
【図１２】図１２は、図１０及び図１１において示したコップセットを構成する、識別標識Ａ１が４カ所に付されたコップの斜視図である。
【図１３】図１３は、識別標識１ｐ＠、２ｐ＠、３ｐ＠・・・１２ｐ＠が２カ所に付されたコップセットの正面図である。
【図１４】図１４は、識別標識１ｐ＠、２ｐ＠、３ｐ＠・・・１２ｐ＠が２カ所に付されたコップセットの背面図である。
【図１５】図１５は、図１３及び１５において示したコップセットを構成する、識別標識１２ｐ＠が２カ所に付されたコップの斜視図である。
【図１６】図１６は、皿セットを構成する、識別標識４８Ｎ＃が２カ所に付された皿の斜視図である。
【図１７】図１７は、図１６において示した皿を背面から見た斜視図である。
【図１】
0003099609.tif 000002
【図２】
0003099609.tif 000003
【図３】
0003099609.tif 000004
【図４】
0003099609.tif 000005
【図５】
0003099609.tif 000006
【図６】
0003099609.tif 000007
【図７】
0003099609.tif 000008
【図８】
0003099609.tif 000009
【図９】
0003099609.tif 000010
【図１０】
0003099609.tif 000011
【図１１】
0003099609.tif 000012
【図１２】
0003099609.tif 000013
【図１３】
0003099609.tif 000014
【図１４】
0003099609.tif 000015
【図１５】
0003099609.tif 000016
【図１６】
0003099609.tif 000017
【図１７】
0003099609.tif 000018